(57)【要約】【課題】従来、ゴルフのダウンスイング用に開発された練習用具は、振ることのみを念頭においたもので、ダウンスイングにおいてグリップエンドから真下に下ろす振りを提供することが主眼にされていないため、とくに初級の人にとってはダウンスイングの体得が難しかった。【解決手段】  グリップエンドに、グリップ部分と同軸方向にスイング矯正棒を延設したことを特徴とするゴルフのスイング練習用具を提供するものである。符号の説明（１）はヘッド部分（２）はシャフト部分（３）はグリップ部分（４）は矯正棒（５）はグリップエンド端。【選択図】  図１
2005349168.tif 000002
【特許請求の範囲】
【請求項１】
グリップエンドに、グリップ部分と同軸方向にスイング矯正棒を延設したことを特徴とするゴルフのスイング練習用具。
【発明の詳細な説明】
【技術分野】
【０００１】  この発明は、ゴルフのスイングを上達させる為の練習用具に関する。
【特許文献１】
【非特許文献１】わたせせいぞう  田原絃  著  「ゴルフ、簡単じゃないか」平成１４年
【背景技術】
【０００２】  従来のゴルフのスイング練習用具は第２図に示すように、先端に重りを設けたヘッド部分１とシャフト部分２とグリップ部分３のみから成るものであった。
【発明の開示】
【発明が解決しようとする課題】
【０００３】  従来のスイング練習用具は、ゴルフのダウンスイングを練習するために開発された用具ではあるが、単に振ることを念頭においたもので、ダウンスイングにおいてグリップエンドから真下に振り下ろす動作を体得させることを主眼とはしていなかった。
ゴルフのダウンスイングにおいては、グリップエンドから真下に振り下ろすこと、即ちプロゴルファーの言う「ダウンスイングは縦振り」を体得することは非常に難しい。とくに初級者にとっては言葉では理解出来ても身体で体得出来にくいものである。
この発明は、以上のような実情に鑑みなされたもので、ダウンスイングを体得しやすいスイング練習用具を提供することを課題とする。
【課題を解決するための手段】
【０００４】  以上の課題を解決するために本発明は、グリップエンド端５に、グリップ部分３と同軸方向にスイング矯正棒４を延設したことを特徴とするゴルフのスイング練習用具を提供するものである。
【発明の効果】
【０００５】  本発明によれば、ダウンスイングにおいてグリップエンドから真下に振り下ろすことが容易に体得できる。
すなわち、グリップエンド端５に矯正棒４を設けたので、必ずクラブが縦に右腰側にクラブエンドが入ることになる（左利きは左腰側）。あるいは、右腰側に必ずグリップエンドが入らなければ振ることが出来ない。そして、下半身から始動してスイングに入らなければクラブを立てて振り下ろすことが出来ない為、下半身が先導するスイングが可能となり、ダウンスイングにおいてグリップエンドから真下に、かつ正しい軌道でクラブが振れるようになる。
【発明を実施するための最良の形態】
【０００６】  この発明の一実施形態を図１に示す。
この発明にかかるスイング練習用具は、スイング矯正棒４の部分、ゴムを被覆したグリップ部分３、ヘッド部分１と、このグリップ部分３とヘッド部分１を繋ぐシャフト部分２からなり、全体的に一体の棒状の素材から構成され、その先端に重りを設けてヘッド部分１となし、シャフト部分２を中間に設けつつ、ゴムを被服したグリップ部分３を形成し、そのグリップ部分３のグリップエンド端５から、ヘッド部分１とは反対方向で、グリップ部分３と同軸方向に、スイング矯正の機能を有する矯正棒４を延設している。
なお、このスイング練習用具は全体が１００センチ、矯正棒４の長さは３０〜４０センチが好ましい。
矯正棒４の長さが３０センチより短いとスイング矯正効果が十分でなく、４０センチより長いとスイングの邪魔になる場合が生じる。【０００７】「実施形態の効果」
上記の実施形態によれば、ゴルフのスイング練習においてグリップエンド端５にスイング矯正用の棒４を設けたので、クラブをグリップエンド５から真下に振り下ろすスイングが体得できる。したがって下半身の始動でグリップエンドに設けた矯正棒４を真下に振り下ろすことが出来るため、テークバックのトップで、溜めを残す動作が体得できる。遠心力が大きくなるのでダウンスイング練習用具が、身体に巻き付く感触を得ることが出来る。
このダウンスイングの形態を、図３に示した連続動作展開図に基づいて説明する。
１．  アドレスの構え、両手でグリップを軽く持つ。（このときは、矯正棒は身体の左側にある）
２．  ゆっくりテークバックをスタートさせ、バックのトップに持っていく。
３．  下半身の始動でダウンスイングを開始すると、右腰側に矯正棒の入る隙間が出来るから、そこにグリップエンドの矯正棒を右腰側に真下に下ろすように振る。矯正棒は常に右側にあり、矯正棒があるために、ここで必ずダウンスイングは縦振りになる。
４．  ヘッドを振り抜きフィニッシュする。
このようにスイングをすれば、４のフィニッシュの時に「ダウンスイングの縦振り」が実現するのである。【０００８】「他の実施形態」
この発明にかかるスイング練習用具は、スイング矯正棒４の部分、ゴムを被服したグリップ部分３、ヘッド部分１と、このグリップ部分２とヘッド部分１を繋ぐシャフト部分２からなり、全体的に一体の棒状の素材から構成され、その先端に重りを設けてヘッド部分１となし、シャフト部分２を中間において、ゴムを被服したグリップ部分３を形成し、そのグリップ部分３のグリップエンド端５から、ヘッド部分１とは反対方向で、グリップ部分３と同軸方向に、スイング矯正の機能を有する棒４を延設したことを実施形態としているが、別の実施形態も提供するものである。
すなわち、矯正棒４の部分を別体で構成して、グリップエンドに着脱自在としてもよい。このようにすれば適宜、使用する者に適した長さの矯正棒を取り付けることができる。
全体の材質はこの発明の趣旨を違えないかぎり任意である。たとえばグリップ部分３には革を用いても良い。ヘッド部分１の実施形態も本発明の趣旨にそう限り任意である。すなわち、ヘッド部分１は長さ、重さを調節出来るようにしても良いし、着脱自在にしても良い。
また、グリップ部分２を本発明にかかる矯正棒４の機能を果たさせるべく長く形成した態様、すなわち事実上矯正棒４の機能を果たしているが、グリップ部分３の形態を形式的に整えるためにゴムを巻いたりしてグリップ部分３の長さを延長した実施態様も本発明の実施形態に含まれる。
なお、矯正棒４の長さは、本発明の効果が得られる限り、５〜９０センチにすることもできる。
５センチより短いと効果が全くなく、９０センチを超えるとスイングの邪魔になる。
【産業上の利用可能性】
【０００＊】
個人のゴルフのスイングの練習用具を提供することで技術の向上が図れる。また、ゴルフ場でのスイングの指導にも便利である。さらにスイング練習用具を製造販売することで産業上実益を得ることができる。
【図面の簡単な説明】
【０００９】
【図１】この発明の一実施形態を示す図である。
【図２】この発明の従来技術を示す図である。
【図３】この発明の実施状態における、スイングの連続動作展開図である。
【符号の説明】
【００１０】１  ヘッド部分            ２  シャフト部分
３  グリップ部分          ４  矯正棒
５  グリップエンド端
【図１】
2005349168.tif 000003
【図２】
2005349168.tif 000004
【図３】
2005349168.tif 000005